(57)【要約】【課題】ワイヤハーネスの幹線から分岐させる複数本の枝線の分岐位置を規定できる。【解決手段】ワイヤハーネス組立作業台に傾倒可能あるいは着脱可能に立設する支軸部と、該支軸部の外面より側方に突設されワイヤハーネスの幹線から分岐させた複数本の枝線を１本ずつ支持する複数本の電線支持部を備え、電線支持部は各枝線を保持する湾曲した凹部を設けた線材からなり支軸部の所定高さの外面より１本あるいは支軸部を挟んだ対向位置に２本突設していると共に、電線支持部を支軸部の軸線方向に沿って複数段設け、すべての電線支持部を略同一平面上に位置させると共に、電線支持部の凹部の外側部を該電線支持部より下部に設けた電線支持部の凹部の内側部より内方に位置させ、電線支持部の凹部に枝線を保持させた状態で複数本の枝線を結束して各枝線の分岐位置を規定する。【選択図】図３
2014007075.tif 000002
【特許請求の範囲】
【請求項１】
ワイヤハーネス組立作業台に傾倒可能あるいは着脱可能に立設する支軸部と、該支軸部の外面より側方に突設されワイヤハーネスの幹線から分岐させた複数本の枝線を１本ずつ支持する複数本の電線支持部を備え、
前記電線支持部は前記各枝線を保持する湾曲した凹部を設けた線材からなり前記支軸部の所定高さの外面より１本あるいは前記支軸部を挟んだ対向位置に２本突設していると共に、前記電線支持部を前記支軸部の軸線方向に沿って複数段設け、すべての電線支持部を略同一平面上に位置させると共に、前記電線支持部の凹部の外側部を該電線支持部より下部に設けた電線支持部の凹部の内側部より内方に位置させ、
前記電線支持部の凹部に前記枝線を保持させた状態で前記複数本の枝線を結束して前記各枝線の分岐位置を規定する構成としていることを特徴とする枝線分岐位置規定治具。
【請求項２】
前記支軸部の外面より側方に突設する前記電線支持部のうち、最上位置に設ける電線支持部を略Ｊ字形状として、該電線支持部の凹部と前記支軸部とで前記枝線を挟持する一方、前記電線支持部より下部に設ける電線支持部には、前記支軸部の外周面より側方へ延出させる直線部に連続して略Ｕ字または略Ｖ字形状の凹部を設けて、該略Ｕ字または略Ｖ字形状の凹部で前記枝線を挟持する構造としている請求項１に記載の枝線分岐位置規定治具。
【請求項３】
前記電線支持部を前記支軸部の軸線方向に沿って上下２段設けると共に、上下各段において前記電線支持部を支軸部を挟んだ対向位置に２本突出させて、幹線から分岐させた４本の枝線を上段２列、下段２列の集束体として結束可能としている請求項１または請求項２に記載の枝線分岐位置規定治具。
【請求項４】
前記支軸部の外面に前記電線支持部をネジ止めにより着脱可能に取り付けている請求項１乃至請求項３のいずれか１項に記載の枝線分岐位置規定治具。
【請求項５】
前記ワイヤハーネス組立作業台上に布線するワイヤハーネスの幹線から複数本の枝線を分岐させる分岐部の位置と、分岐させた前記枝線の端末に接続したコネクタを保持する端末部の位置との間に前記枝線分岐位置規定治具を立設し、
結束状態での前記各枝線の分岐位置に対応する位置の前記電線支持部の凹部に前記枝線をそれぞれ保持させて、前記分岐部の位置と前記枝線分岐位置規定治具の立設位置との間で前記複数本の枝線を結束した後、前記枝線分岐位置規定治具を傾倒させることを特徴とする請求項１乃至請求項４のいずれか１項に記載の枝線分岐位置規定治具を用いた枝線分岐位置の規定方法。
【発明の詳細な説明】
【技術分野】
【０００１】
本発明は枝線分岐位置規定治具および該治具を用いた枝線分岐位置の規定方法に関し、詳しくは、ワイヤハーネスの幹線から分岐させる複数本の枝線の分岐位置を容易に規定できるものである。
【背景技術】
【０００２】
従来、自動車に配索するワイヤハーネスでは、例えば、特開２００７−８７８８４号公報（特許文献１）に示されているように、幹線から複数本の枝線を分岐させている箇所を多数設けている。幹線から枝線を分岐させる分岐部では、各枝線の分岐位置を固定するために複数本の枝線の外周をテープ巻き等で結束している。分岐部の結束は、ワイヤハーネス組立作業台に立設した布線治具に電線束を布線した状態で行っている。例えば、図１０に示すように、ワイヤハーネス組立作業台１１０に立設した布線治具１１１に幹線１００から枝線１０１ａ、１０１ｂ、１０１ｃ、１０１ｄを分岐させている分岐部Ｐの電線束を保持させると共に、布線治具１１２ａ、１１２ｂ、１１２ｃ、１１２ｄに各枝線１０１ａ、１０１ｂ、１０１ｃ、１０１ｄの端末に接続したコネクタをそれぞれ保持させ、布線治具１１１に保持した分岐部Ｐの電線束を持ち上げて外周面に粘着テープＴを巻き付けることにより分岐部Ｐの結束を行っている。
【先行技術文献】
【特許文献】
【０００３】
【特許文献１】特開２００７−８７８８４号公報
【発明の概要】
【発明が解決しようとする課題】
【０００４】
しかし、前記のように分岐部Ｐを結束する際には複数の枝線１０１ａ、１０１ｂ、１０１ｃ、１０１ｄからなる電線束を布線治具１１１から持ち上げて結束するため、枝線１０１ａ、１０１ｂ、１０１ｃ、１０１ｄが交差したり捩れたりして枝線の分岐位置にずれが生じやすく、例えば、枝線結束状態での枝線の分岐位置がＡ−Ａ線断面図で図１１（Ａ）に示す位置とすべきところが、図１１（Ｂ）のような位置となる場合もあり、枝線１０１ａ、１０１ｂ、１０１ｃ、１０１ｄの分岐位置が定まらず、車両にワイヤハーネスを配索する際に枝線１０１の寸法が不足して接続相手側機器にコネクタ接続できなくなるケースが生じるおそれがある。特に、３本以上の枝線を上下左右に積層して結束する場合に各枝線の分岐位置にずれが生じやすくなる。
【０００５】
本発明は前記問題に鑑みてなされたもので、ワイヤハーネス組立作業台上でワイヤハーネスの幹線から分岐させる複数本の枝線を結束して各枝線の分岐位置を固定する際に、枝線の分岐位置にずれが生じたりすることなく分岐位置を規定できることを課題としている。
【課題を解決するための手段】
【０００６】
前記課題を解決するため、第１の発明は、ワイヤハーネス組立作業台に傾倒可能あるいは着脱可能に立設する支軸部と、該支軸部の外面より側方に突設されワイヤハーネスの幹線から分岐させた複数本の枝線を１本ずつ支持する複数本の電線支持部を備え、
前記電線支持部は前記各枝線を保持する湾曲した凹部を設けた線材からなり前記支軸部の所定高さの外面より１本あるいは前記支軸部を挟んだ対向位置に２本突設していると共に、前記電線支持部を前記支軸部の軸線方向に沿って複数段設け、すべての電線支持部を略同一平面上に位置させると共に、前記電線支持部の凹部の外側部を該電線支持部より下部に設けた電線支持部の凹部の内側部より内方に位置させ、
前記電線支持部の凹部に前記枝線を保持させた状態で前記複数本の枝線を結束して前記各枝線の分岐位置を規定する構成としていることを特徴とする枝線分岐位置規定治具を提供している。
【０００７】
前記のように、本発明の枝線分岐位置規定治具では、ワイヤハーネスの組立作業台に立設する支軸部の外面より側方に、幹線から分岐させた複数本の枝線を１本ずつ保持する凹部を備えた電線支持部を複数本突出させている。特に、前記電線支持部を支軸部の所定高さの外面より１本あるいは前記支軸部を挟んだ対向位置に２本突設していると共に、前記電線支持部を前記支軸部の軸線方向に沿って複数段設け、すべての電線支持部を略同一平面上に位置させる構成としている。よって、前記構成によれば、幹線から分岐させる複数本の枝線を上下左右に積層した状態で結束して各枝線の分岐位置を固定する際に、分岐させるすべての枝線を他の枝線と分離した状態で所要の分岐位置に対応する位置の電線支持部の凹部に保持することができる。よって、この保持状態のまま前記複数本の枝線を結束することで、枝線同士が交差したり捩れたりすることなく前記所要位置に各枝線の分岐位置を規定することができる。
【０００８】
また、前記のように、電線支持部の凹部の外側部を該電線支持部より下部に設けた電線支持部の凹部の内側部より内方に位置させておくことにより、複数本の枝線を結束した後、前記枝線分岐位置規定治具の支軸部を傾倒させたりワイヤハーネス組立作業台から取り外したりしても電線支持部が枝線に引っ掛かることなく前記枝線分岐位置規定治具を枝線から容易に離脱させることが可能となる。また、前記支軸部を傾倒可能または着脱可能とすることで、枝線分岐位置規定治具がその後の組立作業の障害になることなくスムーズに組立作業を進めることができる。
【０００９】
前記支軸部を傾倒可能にワイヤハーネス組立作業台に立設するには、例えば、支軸部を回転可能に軸支する土台部をワイヤハーネス組立作業台に取り付けることで可能となる。
また、ネジ止め等により前記支軸部を着脱可能にワイヤハーネス組立作業台に立設してもよい。
【００１０】
前記支軸部の外面より側方に突設する前記電線支持部のうち、最上位置に設ける電線支持部を略Ｊ字形状として、該電線支持部の凹部と前記支軸部とで前記枝線を挟持する一方、前記電線支持部より下部に設ける電線支持部には、前記支軸部の外周面より側方へ延出させる直線部に連続して略Ｕ字または略Ｖ字形状の凹部を設けて、該略Ｕ字または略Ｖ字形状の凹部で前記枝線を挟持する構造としていることが好ましい。
【００１１】
本発明の枝線分岐位置規定治具として、例えば、前記電線支持部を前記支軸部の軸線方向に沿って上下２段設けると共に、上下各段において前記電線支持部を支軸部を挟んだ対向位置に２本突出させて、幹線から分岐させた４本の枝線を上段２列、下段２列の集束体として結束可能としている。しかし、幹線から分岐させる枝線の本数や枝線の分岐方向、枝線結束時の集束断面形状等に応じて前記電線支持部を前記支軸部の軸線方向に沿って上下３段以上設けてもよく、また支軸部の外面から電線支持部を１本だけ突出させている段を設けていてもよい。
【００１２】
また、前記支軸部の外面に前記電線支持部をネジ止めにより着脱可能に取り付けていてもよい。前記構成により、幹線から分岐させる枝線の本数や分岐方向、枝線結束時の集束断面形状等に応じて前記電線支持部の突出本数や突出位置を変えることもできるため、枝線分岐位置規定治具の汎用性を高めることができる。
【００１３】
また、第２の発明として、前記枝線分岐位置規定治具を用いた枝線分岐位置の規定方法も提供している。即ち、前記ワイヤハーネス組立作業台上に布線するワイヤハーネスの幹線から複数本の枝線を分岐させる分岐部の位置と、分岐させた前記枝線の端末に接続したコネクタを保持する端末部の位置との間に前記枝線分岐位置規定治具を立設し、
結束状態での前記各枝線の分岐位置に対応する位置の前記電線支持部の凹部に前記枝線をそれぞれ保持させて、前記分岐部の位置と前記枝線分岐位置規定治具の立設位置との間で前記複数本の枝線を結束した後、前記枝線分岐位置規定治具を傾倒させることが好ましい。
【発明の効果】
【００１４】
前述したように、本発明の枝線分岐位置規定治具では、ワイヤハーネスの組立作業台に立設する支軸部の外面より側方に、幹線から分岐させた複数本の枝線を１本ずつ保持する凹部を備えた電線支持部を複数本突出させている。特に、前記電線支持部を支軸部の所定高さの外面より１本あるいは前記支軸部を挟んだ対向位置に２本突設していると共に、前記電線支持部を前記支軸部の軸線方向に沿って複数段設け、すべての電線支持部を略同一平面上に位置させる構成としている。
よって、幹線から分岐させる複数本の枝線を上下左右に積層した状態で結束して各枝線の分岐位置を固定する際、分岐させるすべての枝線を他の枝線と分離した状態で所要の分岐位置に対応する位置の電線支持部の凹部に保持させることができるため、該保持状態のまま前記複数本の枝線を結束することで、枝線同士が交差したり捩れたりすることなく前記所要位置に各枝線の分岐位置を規定することができる。
【００１５】
また、本発明の枝線分岐位置規定治具では、電線支持部の凹部の外側部を該電線支持部より下部に設けた電線支持部の凹部の内側部より内方に位置させているため、複数本の枝線を結束した後、前記枝線分岐位置規定治具の支軸部を傾倒させたりワイヤハーネス組立作業台から取り外したりしても、電線支持部が枝線に引っ掛かることなく枝線分岐位置規定治具を枝線から容易に離脱させることができる。また、前記支軸部を傾倒可能または着脱可能とすることで、枝線分岐位置規定治具がその後の組立作業の障害となることがないため、スムーズに組立作業を進めることができる。
【図面の簡単な説明】
【００１６】
【図１】本発明の実施形態の枝線分岐位置規定治具を示す斜視図である。
【図２】（Ａ）はワイヤハーネス組立作業台に立設した枝線分岐位置規定治具の要部拡大正面図であり、（Ｂ）は要部拡大側面図である。
【図３】ワイヤハーネス組立作業台に幹線から分岐する枝線を布線し、枝線分岐位置規定治具の電線支持部に各枝線を支持させた状態を示す斜視図である。
【図４】図３のＢ−Ｂ線断面図である。
【図５】枝線を結束して各枝線の分岐位置を規定した後、枝線分岐位置規定治具を傾倒させた状態を示す斜視図である。
【図６】図５のＣ−Ｃ線断面図である。
【図７】本実施形態の変形例に用いる枝線分岐位置規定治具を示す一部分解斜視図である。
【図８】枝線を支持した枝線分岐位置規定治具の断面図である。
【図９】分岐位置が規定された枝線の断面図である。
【図１０】従来例を示す図である。
【図１１】従来例を示す図である。
【発明を実施するための形態】
【００１７】
以下、本発明の実施形態を図面を参照して説明する。
図１乃至図６は本発明の実施形態を示す。
車両に配索するワイヤハーネスには、複数本の電線からなる幹線１から、該幹線１より少量の電線束からなる枝線２を複数本分岐させている箇所を多く設けている。本実施形態では、ワイヤハーネス組立作業台１０上で幹線１および該幹線１から異なる方向に分岐させる４本の枝線２ａ、２ｂ、２ｃ、２ｄを車両での配索形態に合わせて布線し、各枝線２ａ、２ｂ、２ｃ、２ｄの分岐位置を固定するために枝線２ａ、２ｂ、２ｃ、２ｄのテープ巻き結束を行う際に、図１〜図５に示す枝線分岐位置規定治具１１を用いて枝線２ａ、２ｂ、２ｃ、２ｄの分岐位置を規定している。
【００１８】
図３に示すように、幹線１から４本の枝線２ａ、２ｂ、２ｃ、２ｄを分岐させている分岐部Ｐの電線束を布線治具２１で保持していると共に、４方向に分岐させた枝線２ａ、２ｂ、２ｃ、２ｄの端末に接続したコネクタ３ａ、３ｂ、３ｃ、３ｄを布線治具２２ａ、２２ｂ、２２ｃ、２２ｄで保持している。本実施形態では、幹線１側から見て、枝線２ａ、２ｂを枝線２ｃ、２ｄより上方に分岐させ、枝線２ａ、２ｃを枝線２ｂ、２ｄより左方に分岐させている。
【００１９】
枝線２ａ、２ｂ、２ｃ、２ｄの分岐位置を図６に示す位置に規定するため、前記分岐部Ｐと枝線２ａ、２ｂ、２ｃ、２ｄの端末部（コネクタ３ａ、３ｂ、３ｃ、３ｄ）との間の分岐部Ｐに近接した所定位置に、枝線分岐位置規定治具１１を立設している。
枝線分岐位置規定治具１１は、ワイヤハーネス組立作業台１０に傾倒可能に立設する円柱状の支軸部１２と、該支軸部１２の外周面より側方に突設され４本の枝線２ａ、２ｂ、２ｃ、２ｄをそれぞれ支持する４本の電線支持部１３ａ、１３ｂ、１３ｃ、１３ｄを備えている。電線支持部１３ａ、１３ｂ、１３ｃ、１３ｄは、枝線２ａ、２ｂ、２ｃ、２ｄを保持する凹部１４ａ、１４ｂ、１４ｃ、１４ｄを設けた線材からなり、電線支持部１３ａ、１３ｂは支軸部１２の軸線方向上段側に突設され、上方に分岐させる枝線２ａ、２ｂを支持させるようにしている。一方、電線支持部１３ｃ、１３ｄは支軸部１２の軸線方向下段側に突設され、枝線２ａ、２ｂより下方に分岐させる枝線２ｃ、２ｄを支持させるようにしている。
【００２０】
上段側の２本の電線支持部１３ａ、１３ｂは、支軸部１２を挟んだ対向位置の外周面より突出している。また、下段側の２本の電線支持部１３ｃ、１３ｄも支軸部１２を挟んだ対向位置の外周面より突出している。
上段側の電線支持部１３ａ、１３ｂは略Ｊ字形状として、該電線支持部１３ａ、１３ｂの凹部１４ａ、１４ｂと支軸部１２とで枝線２ａ、２ｂをそれぞれ挟持する構造としている。一方、下段側の電線支持部１３ｃ、１３ｄは、支軸部１２の外周面より側方に延出させる直線部１５ｃ、１５ｄに連続して略Ｖ字形状の凹部１４ｃ、１４ｄを設け、該略Ｖ字形状の凹部１４ｃ、１４ｄで枝線２ｃ、２ｄをそれぞれ挟持する構造としている。
上段側の電線支持部１３ａ、１３ｂおよび下段側の電線支持部１３ｃ、１３ｄは、略同一平面（以下、電線支持部形成面という）上に位置させ、上段側の電線支持部１３ａ、１３ｂの凹部１４ａ、１４ｂの外側部１４ａ−１、１４ｂ−１を、下段側の電線支持部１３ｃ、１３ｄの凹部１４ｃ、１４ｄの内側部１４ｃ−１、１４ｄ−１より内方に位置させている。
【００２１】
枝線分岐位置規定治具１１の前記電線支持部形成面が、枝線２ａ、２ｂ、２ｃ、２ｄと交差するような位置関係になるように支軸部１２を立設すると共に、該支軸部１２が分岐部Ｐから離反する方向（図２および図３の矢印Ａ方向、図４においては手前方向）に傾倒可能となるように、ワイヤハーネス組立作業台１０に取り付けた土台部１６に支軸部１２の下部を回転可能に軸支している。
【００２２】
具体的には、土台部１６は、枝線軸線方向に沿って設けた両側壁と底壁からなる支軸保持部１７と、該支軸保持部１７の底壁下面より下方へ突出するネジ部１８とからなる。両側壁間の凹部に支軸部１２の下部を挟持させ、互いに連通するように両側壁に設けた貫通穴１７ａと支軸部１２下部に設けた貫通穴１２ａとに軸材１９を貫通させて支軸部１２を回転可能としている。また、支軸部１２の起立状態を保持するために、支軸部１２の下端面１２ｂに押し当てられる凸部１７ｂを支軸保持部１７の底壁上面より突設している。なお、支軸部１２の下端面１２ｂを傾斜状に加工し、支軸部１２の回転により下端面１２ｂが底壁と当接しないようにしている。一方、土台部１６の底壁下面より突設したネジ部１８をワイヤハーネス組立作業台１０に設けたネジ穴１０ａに貫通させ裏面側からナットＮを締結することにより、土台部１６をワイヤハーネス組立作業台１０に取り付けることができる。
【００２３】
図３および図４のように、枝線分岐位置規定治具１１の電線支持部１３ａ、１３ｂ、１３ｃ、１３ｄの凹部１４ａ、１４ｂ、１４ｃ、１４ｄに枝線２ａ、２ｂ、２ｃ、２ｄを保持させた状態で、分岐部Ｐと枝線分岐位置規定治具１１の立設位置との間の位置で、枝線２ａ、２ｂ、２ｃ、２ｄの外周面に粘着テープＴを巻き付けて結束する。これにより、枝線２ａ、２ｂ、２ｃ、２ｄの分岐位置を図６に示す位置に規定することができる。また、前記テープ巻き結束完了後は、枝線分岐位置規定治具１１を図５のように傾倒させることができるため、枝線分岐位置規定治具１１がその後の組立作業の障害になることなく作業をスムーズに進めることができる。
【００２４】
なお、本実施形態では、枝線分岐位置規定治具１１の支軸部１２を傾倒可能な構造としているが、ネジ止め等でワイヤハーネス組立作業台１０に着脱可能に立設する構成としてもよい。テープ巻き結束完了後、ネジ止めを解除して枝線分岐位置規定治具１１を下方に取り外すことで、枝線２ａ、２ｂ、２ｃ、２ｄから枝線分岐位置規定治具１１を容易に離脱させることができる。
【００２５】
図７乃至図９は前記実施形態の変形例を示している。
本変形例の枝線分岐位置規定治具３１では、支軸部３２の外周面に電線支持部３３ａ、３３ｂ、３３ｃ、３３ｄをネジ止めにより着脱可能に取り付ける構成としている。例えば、図７に示すように、支軸部３２の外面上に配置する連結部（３４ａ：図示せず）３４ｂ、３４ｃ、３４ｄを電線支持部３３ａ、３３ｂ、３３ｃ、３３ｄの内端より突設し、該連結部（３４ａ：図示せず）３４ｂ、３４ｃ、３４ｄに設けた貫通穴（３４ａ−１、３４ｂ−１：図示せず）３４ｃ−１（３４ｄ−１：図示せず）と支軸部３２に設けたネジ穴３６とを連通させてネジ（３５ａ：図示せず）３５ｂ、３５ｃ、３５ｄを挿入、締結することにより電線支持部３３ａ、３３ｂ、３３ｃ、３３ｄを支軸部３２の外周面に着脱可能に取り付けることができる。
【００２６】
前記構成の枝線分岐位置規定治具３１によれば、例えば、幹線１から３本の枝線２ａ、２ｂ、２ｃを分岐させているような場合には、電線支持部３３ｄを支軸部３２から取り外して図８に示すような枝線分岐位置規定治具３１とし、３本の枝線２ａ、２ｂ、２ｃを電線支持部３３ａ、３３ｂ、３３ｃに支持させた状態で枝線２ａ、２ｂ、２ｃをテープ巻き結束することで、３本の枝線２ａ、２ｂ、２ｃの分岐位置を図９に示す位置に規定することができる。
【符号の説明】
【００２７】
１  幹線
２  枝線
１０  ワイヤハーネス組立作業台
１１、３１  枝線分岐位置規定治具
１２、３２  支軸部
１３、３３  電線支持部
１４  凹部
１５  直線部
【図１】
2014007075.tif 000003
【図２】
2014007075.tif 000004
【図３】
2014007075.tif 000005
【図４】
2014007075.tif 000006
【図５】
2014007075.tif 000007
【図６】
2014007075.tif 000008
【図７】
2014007075.tif 000009
【図８】
2014007075.tif 000010
【図９】
2014007075.tif 000011
【図１０】
2014007075.tif 000012
【図１１】
2014007075.tif 000013